(57)【特許請求の範囲】
【請求項１】
試料送り出し装置であって、
流体試料を試料収容バイアルから抜き出す流体試料送り出し装置を有し、前記流体試料送り出し装置は、プランジャニードルを有し、このプランジャニードルは、前記プランジャニードルが前記試料収容バイアルの底部に向かって移動するときに、前記試料収容バイアル内の試料としての流体を加圧することによって試料としての流体を前記試料収容バイアルから押し退けて前記流体試料送り出し装置内に送り込むよう構成され、
回転ハブに取り付けられた片持ちカルーセルであって、試料収容バイアルのアレイを前記回転ハブの半径方向外側の片持ちカルーセルの周囲に沿って回転可能に支持すると共に前記試料収容バイアルのうちの少なくとも１つを前記流体試料送り出し装置の下の試料採取ステーションに位置決めする片持ちカルーセルを有し、
前記プランジャニードルがそれぞれの試料収容バイアル中に挿入されると、前記片持ちカルーセルの周囲の一部分を前記流体試料送り出し装置のすぐ隣りで支持すると共に、前記片持ちカルーセルの残部を支持しないように前記試料採取ステーションの下に配置される支持体を有することを特徴とする装置。
【請求項２】
前記支持体は、前記カルーセルの下に位置決めされる、請求項１記載の装置。
【請求項３】
前記支持体は、前記カルーセルの下に位置決めされた耐力ころ軸受である、請求項１記載の装置。
【請求項４】
前記プランジャニードルは、カルーセル表面と実質的に直交する方向に負荷を前記カルーセルに及ぼし、前記支持体は、実質的にこれとは逆の方向で前記カルーセルの下に位置決めされている、請求項１記載の装置。
【請求項５】
更に、前記プランジャニードルをそれぞれの前記試料収容バイアル内に押し込むモータと、
押し込み中の前記モータに加わる負荷及び押し込み中における前記プランジャニードルの速度のうちの少なくとも一方又はこれら両方に関連した情報をモニタするモータモニタと、
前記モニタされた情報に基づいて試料送り出し流路中の障害物を検出する誤差検出器と、を有する、請求項１記載の装置。
【請求項６】
更に、それぞれの前記試料収容バイアル内への前記プランジャニードルの挿入度に基づいて試料の抜き出し量を測定する試料送り出し測定手段と、
それぞれの前記試料収容バイアルから抜き出された試料の量に関連した情報を格納する格納手段と、を有する、請求項１記載の装置。
【請求項７】
前記試料収容バイアルは、フィルタキャップを備え、このフィルタキャップは、その下端部に端ぐり部を備え、このフィルタキャップの下端部の端ぐり部内には、フィルタが取り付けられている請求項１記載の装置。
【請求項８】
前記フィルタは、固形物を液体試料から濾過により除去するよう構成された第１のフィルタ部材を有し、
前記フィルタは、第２のフィルタ部材を有し、前記第２のフィルタ部材の上流側端部は、前記第１のフィルタ部材の下流側端部に流体結合されており、
前記フィルタは、第３のフィルタ部材を有し、前記第３のフィルタ部材の上流側端部は、前記第２のフィルタ部材の下流側端部に流体結合されており、
前記第２のフィルタ部材は、前記第１のフィルタ部材の場合よりも小さな固形物を前記液体試料から濾過により除去するよう構成され、前記第３のフィルタ部材は、前記第２のフィルタ部材の場合よりも大きな固形物を前記液体試料から濾過により除去するよう構成されている、請求項７記載の装置。
【請求項９】
前記第１のフィルタ部材及び／又は前記第３のフィルタ部材は、流れ方向に見て前記第２のフィルタ部材よりも長い、請求項８記載の装置。
【請求項１０】
前記第１のフィルタ部材及び／又は前記第３のフィルタ部材は、粒径が約３０ミクロン〜約２００ミクロンの固形物を濾過により除去するよう構成されている、請求項８記載の装置。
【請求項１１】
前記第２のフィルタ部材は、粒径が約０．１ミクロン〜約２ミクロンの固形物を濾過により除去するよう構成されている、請求項８記載の装置。
【請求項１２】
１つ又は２つ以上の前記フィルタは、フルオロポリマー又はポロゲン（porogen）で作られている、請求項８記載の装置。
【請求項１３】
少なくとも前記第１のフィルタ部材及び前記第２のフィルタ部材は、一体構造の状態に作られている、請求項８記載の装置。
【請求項１４】
請求項７記載の装置を用いて液体試料を濾過する方法であって、
流体試料を試料収容バイアル内に用意するステップと、
流体試料を流体送り出し装置により試料収容バイアルから抜き出すステップと、
流体試料をフィルタに通して濾過するステップと、を有し、
上記流体送り出し装置は、所定の条件に応答して駆動力を調節するように構成されている、方法。
【請求項１５】
請求項８記載の装置を用いて液体試料を濾過する方法であって、
流体試料を試料収容バイアル内に用意するステップと、
流体試料を流体送り出し装置により試料収容バイアルから抜き出すステップと、
液体試料をフィルタに流通させて液体試料が順次、第１のフィルタ部材、第２のフィルタ部材及び第３のフィルタ部材を通って流れるようにするステップと、
濾過済みの流体試料を収集するステップと、
を有する、方法。
【発明の詳細な説明】
【技術分野】
【０００１】
本発明は、一般に、試料をクロマトグラフィーカラムに送り出す流体送り出しシステム及び流体送り出しシステムの使用方法に関する。
【背景技術】
【０００２】
従来、液体試料をクロマトグラフィーカラムに送り出すために多種多様な技術が用いられている。かかる技術は、流体をフィルタに通してシリンジ内に吸い込む中空ニードルを採用している。試料は、しかる後、カラムに送り出される。
【０００３】
液体試料を送り出す既存のシステムは、典型的には、微孔質材料又はメンブレンで構成された単一のフィルタを使用している。従来型フィルタの一例がクラッソン等（Classon
et al.）に付与された米国特許第５，５６７，３０９号明細書に記載されており、この特許文献は、フィルタキャップを備えたフィルタを示しており、薄いメンブレン（薄膜）がキャップの底部に設けられている開口部を覆っている。薄膜は、フィルタ入れ物内に収容された微孔質要素で作られており、そのポロシティは、０．１〜１ミクロンである。フィルタは、多種多様な薄膜層で作られた多層構成を有する場合がある。フィルタメンブレンは、フィルタを通る高い流量を許容するほど薄い。したがって、クラッソンのシステムは、濾過能力を犠牲にしている。さらに、クラッソンは、薄手のフィルタを利用しているので、このフィルタは、しばしば目詰まり状態になって閉塞状態になりがちであり、それにより、動作停止時間が長くなる。
【０００４】
また、複数個の試料収容バイアルから液体試料に効率的に接近するシステムを提供する必要が存在する。従来技術では自動化がなされておらず、ユーザは、バイアルを識別し、システムを制御して識別されたバイアルに接近する必要がある。
【０００５】
上述の内容に照らして、上記の欠点及び他の欠点を解決する方法及び装置を提供することが有益である。効率の高い濾過性能を備えたシステムを提供することが望ましい。フィルタのクリーニング及び交換のための動作停止時間を短くしたシステムを提供することが望ましい。
【０００６】
流体試料に接近してこれに送り出す効率の高いシステムを提供することが望ましい。
【先行技術文献】
【特許文献】
【０００７】
【特許文献１】米国特許第５，５６７，３０９号明細書
【発明の概要】
【０００８】
概要を説明すると、本発明の種々の観点は、流体試料送り出し装置用の濾過装置であって、この濾過装置は、固形物を液体試料から濾過により除去するよう構成された第１のフィルタ部材と、第２のフィルタ部材とを有し、第２のフィルタ部材の上流側端部は、第１のフィルタ部材の下流側端部に流体結合され、濾過装置は、第３のフィルタ部材を更に有し、第３のフィルタ部材の上流側端部は、第２のフィルタ部材の下流側端部に流体結合されていることを特徴とする濾過装置にある。第２のフィルタ部材は、第１のフィルタ部材の場合よりも比較的小さな固形物を液体試料から濾過により除去するよう構成され、第３のフィルタ部材は、第２のフィルタ部材の場合よりも比較的大きな固形物を液体試料から濾過により除去するよう構成されている。
【０００９】
種々の実施形態では、第１のフィルタ部材及び／又は第３のフィルタ部材は、流れ方向に見て第２のフィルタ部材よりも長い。第１のフィルタ部材及び／又は第３のフィルタ部材は、粒径が約３０ミクロン〜約２００ミクロンの固形物を濾過により除去するよう構成されているのが良い。第２のフィルタ部材は、粒径が約０．１ミクロン〜約２ミクロンの固形物を濾過により除去するよう構成されているのが良い。
【００１０】
種々の実施形態では、１つ又は２つ以上のフィルタ部材は、フルオロポリマー又はポロゲン（porogen）で作られている。種々の実施形態では、少なくとも第１のフィルタ部材及び第２のフィルタ部材は、一体構造の状態に作られている。
本発明の種々の観点は、試料収容容器であって、液体試料を収容するサンプル収容バイアルと、試料収容バイアル内に摺動可能に設けられたプランジャとを有する試料収容容器にある。プランジャは、フィルタ又は濾過装置を有し、試料は、試料が抜き出されているときにフィルタを通って送り出される。
【００１１】
本発明の種々の観点は、液体試料を濾過する方法であって、濾過装置を用意するステップと、液体試料を濾過装置の上流側端部中に導入するステップと、液体試料を濾過装置に流通させて液体試料が順次、第１のフィルタ部材、第２のフィルタ部材及び第３のフィルタ部材を通って流れるようにするステップとを有することを特徴とする方法にある。濾過装置への流通中、固形物が液体試料から濾過により除去される。
【００１２】
本発明の種々の観点は、試料送り出し装置であって、試料送り出し装置は、流体試料を試料収容バイアルから抜き出す流体試料送り出し装置を有し、液体試料送り出し装置は、試料としての流体をバイアルから押し退けて流体試料送り出し装置内に送り込むよう構成されたプランジャニードルを有し、試料送り出し装置は、片持ちカルーセルであって、試料収容バイアルのアレイをカルーセルの周囲に沿って回転可能に支持すると共に試料収容バイアルのうちの少なくとも１つを流体試料送り出し装置の下に位置決めする片持ちカルーセルを更に有し、流体試料送り出し装置がそれぞれのバイアル中に挿入されると、カルーセルを流体試料送り出し装置のすぐ隣りで支持する支持体を有することを特徴とする装置にある。
【００１３】
種々の実施形態では、支持体は、カルーセルの下に位置決めされる。支持体は、カルーセルの下に位置決めされた耐力ころ軸受であるのが良い。プランジャニードルは、カルーセル表面と実質的に直交する方向に負荷をカルーセルに及ぼすのが良く、支持体は、実質的にこれとは逆の方向でカルーセルの下に位置決めされるのが良い。
【００１４】
本発明の種々の観点は、試料送り出し装置であって、試料送り出し装置は、複数個の試料収容バイアルと、複数個の試料収容バイアルのうちの１つの中に挿入可能であって、流体試料をそれぞれのバイアルから抜き出すプランジャを含む流体試料送り出し装置とを有し、流体試料の抜き出し量は、それぞれのバイアル内におけるプランジャの挿入深さに対応しており、試料送り出し装置は、それぞれのバイアル内へのプランジャの挿入度に基づいて試料の抜き出し量を測定する試料送り出し測定手段と、それぞれのバイアルから抜き出された試料の量に関連した情報を格納する格納手段とを更に有することを特徴とする装置にある。
【００１５】
種々の実施形態では、本発明の方法は、流体試料送り出し装置を用意するステップと、複数個の試料収容バイアルの容積に関連した情報を格納するステップと、流体を複数個の試料収容バイアルのうちの１つから抜き出すステップと、試料を抜き出したそれぞれの収容バイアルに関する容積情報を更新するステップとを有することを特徴とする。
【００１６】
種々の実施形態では、この方法は、試料の必要量を求めるステップと、試料の必要量及び格納された情報に基づいて複数個の試料収容バイアルから一試料収容バイアルを選択するステップとを更に有する。
【００１７】
流体試料送り出し装置は、プランジャをそれぞれのバイアル内に押し込むモータと、押し込み中のモータに加わる負荷及び押し込み中におけるプランジャの速度のうちの少なくとも一方又はこれら両方に関連した情報をモニタするモータモニタと、モニタされた情報に基づいて試料送り出し流路中の障害物を検出する誤差検出器とを更に有するのが良い。
【００１８】
本発明の種々の観点は、流体送り出し装置を用いて液体試料を連続的に濾過する方法であって、この方法は、流体試料を試料収容バイアル内に用意するステップと、流体試料を流体送り出し装置により試料収容バイアルから抜き出すステップと、流体試料を濾過装置に通して濾過するステップと、濾過済みの流体試料を収集するステップとを有することを特徴とする方法にある。流体送り出し装置は、オプションとして、試料収容バイアル内で往復動し、それにより流体試料を流体送り出し装置の流体通路内に送り込むよう構成されたプランジャニードルと、駆動力をプランジャニードルに及ぼすモータと、流体通路内に位置決めされた濾過装置とを有し、濾過装置は、固体廃棄物を流体試料から濾過により除去するよう構成されている。流体送り出し装置は、所定の条件に応答してモータ駆動力を調節するよう構成されているのが良い。
【００１９】
種々の実施形態では、モータは、ステップモータであり、所定の条件は、モータの滑りに基づいている。種々の実施形態では、モータは、ステップモータであり、所定の条件は、ニードル速度に基づいている。
【００２０】
種々の実施形態では、濾過装置は、固形物を液体試料から濾過により除去するよう構成された第１のフィルタ部材と、第２のフィルタ部材とを有し、第２のフィルタ部材の上流側端部は、第１のフィルタ部材の下流側端部に流体結合されており、濾過装置は、第３のフィルタ部材を有し、第３のフィルタ部材の上流側端部は、第２のフィルタ部材の下流側端部に流体結合されている。第２のフィルタ部材は、第１のフィルタ部材の場合よりも比較的小さな固形物を液体試料から濾過により除去するよう構成され、第３のフィルタ部材は、第２のフィルタ部材の場合よりも比較的大きな固形物を液体試料から濾過により除去するよう構成されている。
【００２１】
本発明の流体送り出しシステム及び方法は、本明細書に組み込まれてその一部をなす添付の図面及び以下に記載する発明を実施するための形態の項から明らかであり又はこれらに詳細に記載された他の特徴及び他の利点を有し、添付の図面と発明を実施するための形態の項は、一緒になって、本発明の原理を説明するのに役立つ。
【図面の簡単な説明】
【００２２】
【図１Ａ】本発明の流体試料送り出しシステムの斜視図であり、頂部の蓋が取り外された状態のシステムの内部を示す図である。
【図１Ｂ】図１Ａのシステムの試料送り出し組立体及び試料採取ステーションの拡大詳細図であり、カルーセル上のサンプル収容バイアルに係合したニードルを示す図である。
【図１Ｃ】図１Ａのシステムの試料送り出し組立体及び試料採取ステーションの一部分の概略拡大図であり、本発明に従ってニードルの運動をモニタし、流体送り出しを制御するセンサ又は検出装置を示す図である。
【図２】図２Ａは、図１Ｂの試料送り出しニードル及び試料収容バイアルの中央断面図であって試料収容バイアルの上方に位置したニードルを示す図、図２Ｂは、図１Ｂの試料送り出しニードル及び試料収容バイアルの中央断面図であって試料収容バイアル内に配置されていて、流体を抜き出しているニードルを示す図、図２Ｃは、図２Ｂのニードルの拡大詳細図であって本発明のフィルタに係合したニードルを示す図である。
【図３】図３Ａは、図１及び図２の斜視図、図３Ｂは、図３Ａのフィルタの長手方向の側面図、図３Ｃは、図３Ａのフィルタの分解組立て図である。
【図４Ａ】図４Ａは、図１Ａの流体試料送り出しシステムの中央断面図であって動作中、カルーセル支持体により支持されたカルーセルを示す図である。
【図４Ｂ】図４Ｂは、図４Ａの流体送り出し組立体及びサンプル収容バイアルカルーセルの一部分の拡大詳細図である。
【図５】図１Ａのシステムの動作を示す流れ図であり、試料への接近及び試料収容バイアルからの送り出し状態を示す図である。
【図６】図１Ａの装置の動作を示す流れ図であり、流体試料送り出しプロセス中におけるモータ速度の調節の仕方を示す図である。
【発明を実施するための形態】
【００２３】
次に、本発明の種々の実施形態を詳細に説明するが、これら実施形態の実施例が添付の図面に示されている。本発明の種々の実施形態と関連して説明するが、これら実施形態は、本発明をこれら実施形態に限定するものではないことは理解されよう。これとは異なり、本発明は、特許請求の範囲に記載された本発明の精神及び範囲に含まれ得る変形例、改造例及び均等例を含むものである。
【００２４】
今、図面を参照し（図中、同一のコンポーネントは、種々の図全体を通じて同一の参照符号で示されている）、注目する図１及び図２は、全体が参照符号３０で示された試料流体送り出しシステムを示している。種々の点において、システム３０は、カリフォルニア州サニーベール所在のダイオネックス・コーポレイション（Dionex Corporation）により製造されると共に市販されているAS40 Autosamplerに類似している。
【００２５】
システム３０は、全体を参照符号３２で示された流体送り出し組立体を有している。流体送り出し組立体は、ニードルアクチュエータ組立体３５により作動されるニードル３３及び流体通路を有している。アクチュエータ組立体は、モータ３７、ロボットアーム３９及びドアライブトレーン又は駆動組立体４０を有している。このシステムは、流体がそれぞれのバイアル４４から抜き出されてフィルタ又は濾過装置４２を通ってニードル組立体内に流入し、流体は、このニードル組立体からクロマトグラフィーカラム又は他のコンポーネントに送り出されるよう構成されている。ニードル組立体は、従来型ニードル及びシリンジを含むのが良い。システム３０を主として液体クロマトグラフィシステムに関して説明するが、このシステムは、他の用途向きに構成できることは理解されよう。
【００２６】
このシステムは、液体試料４６を収容するよう構成された複数個の試料収容バイアル４４を有している。種々の実施形態では、各バイアル４４は、試料カルーセル４９に設けられたバイアルスロット４７のバイアル受け口と嵌合するよう構成されている。カルーセルは、各バイアルを流体試料送り出し組立体の配設場所に対応した試料採取ステーション５１に位置合わせする。流体送り出し組立体３２は、バイアルをカルーセルに載せた状態でニードルの下に案内する軌道を備えたカルーセル案内装置５３を有している。種々の実施形態では、案内装置は、ニードル３３の作動中、バイアルを定位置にロックするよう構成されている。
【００２７】
試料採取ステーション５１は、オプションとして、試料を貫通するフィルタを有する。システムは、他のステーション、例えば流体試料送り出し組立体をすすぎ洗いすると共に／或いは空の試料収容バイアルをすすぎ洗いするすすぎ洗いステーション及び混合ステーションを更に有するのが良い。
【００２８】
例示のシステムは、流体が試料収容バイアルから能動的に押し退けられることを意味する負圧押し退け（negative displacement ）型の取り出しシステムである。しかしながら、本発明の種々の観点によるシステムは、ポンプ及び他の従来型手段を用いて流体を抜き出すよう構成できることは理解されよう。
【００２９】
試料収容バイアル４４及びニードル３３は、種々の点において、マー（Mar）に付与された米国特許第４，６４４，８０７号明細書（以下、「第´８０７号特許明細書」という）のものとほぼ同じであり、この米国特許を全ての目的に関して参照により引用し、その記載内容全体を本明細書の一部とする。ニードルは、流体を抜き出しているとき、試料収容バイアルに密着するよう構成されている。「ニードル」及び「プランジャニードル」という用語は、本明細書において互いに区別なく用いられる。
【００３０】
図２〜図４を参照すると、試料収容バイアル４４の各々を密閉するために複数個のフィルタキャップ５４が設けられている。キャップは、バイアルを密閉して試料を外部環境への暴露から保護する。キャップの種々の観点は、従来の負圧押し退け型試料取り出しシステム、例えば、第´８０７号特許明細書に開示された試料取り出しシステムの観点とほぼ同じである。キャップは、ニードルにより押し下げられるときにプランジャとして働くよう構成されている。キャップは、試料をフィルタからニードルに差し向けるためにキャップの頂部に結合するよう構成されたフルイディックチューブを有する。例示のキャップは、フィルタの上方に位置していて、ニードルと嵌合する小さな孔を有している。
【００３１】
種々の実施形態では、ニードル３３は、バイアルの側壁と流体密係合関係をなしてバイアル４４内に摺動可能に設けられている。プランジャは、軸方向に延びる通路を有し、流体は、プランジャが押し下げられ又はバイアルの底部に向かって動かされると、この通路を通って送り出される。流体試料は、プランジャが押し下げられ又はバイアルの底部に向かって動かされているときにバイアル内で加圧される。プランジャがバイアル内の流体を押し退けると、流体試料は、ニードル内に押し込められる。バイアル４４及びニードル３３は、押し出し、成形又は別の適当なプロセスにより製作されるのが良い。
【００３２】
バイアル及びプランジャは、複数個の試料がクロマトグラフィーカラムに送られるべき自動化システムに用いるのに特に適している。バイアルは、カルーセル４９に設けられたバイアルスロット４７内に設けられるのが良い。各バイアルスロットは、流体送り出し組立体３２が配置される場所までカルーセルを回転させることにより試料採取ステーション５１まで動かされる。
【００３３】
試料がニードル３３から抜き出されてバイアル４４内に入れられると、液体試料は、フィルタを通って流れて望ましくない固体粒子が除去される。図示の実施形態では、フィルタは、微孔質ポリマーである。フィルタは、粒状物質を試料収容バイアル４４から通路を通って送り出された試料から除去し、このフィルタは、ニードル３３が休止状態にあるとき、上記に対して実質的に不浸透性である。
【００３４】
種々の実施形態では、図２Ａ〜図２Ｃを参照すると、フィルタ４２は、フィルタキャップ５４の下端部のところに設けられた端ぐり部内に設けられている。フィルタ４２は、機械的締結具、締り嵌め、化学的結合等によりフィルタキャップ内に配置可能である。
【００３５】
フィルタは、配置されると、入口５６、出口５８及び入口と出口との間の通路を有する。種々の実施形態では、フィルタは、いずれかの方向に配置可能であり、このことは、流体がいずれかの方向に流れることができるということを意味している。
【００３６】
フィルタの孔径は、当該技術分野においては一般的に用いられているものとして理解されるべきである。フィルタの平均孔径は、保持されるべき標的固体粒子の粒径の約３倍〜約５倍のオーダーのものであるのが良い。例えば、０．４５μｍ粒子を濾過により除去するのに０．４５μｍフィルタが設けられるのが良いが、実際の孔径は、これよりも大きいのが良く、それにより幾分かの０．４５μｍ粒子は、フィルタを通って流れることができる。かくして、フィルタの濾過能力は、保持されるべき粒子の粒径及びかかる粒径を保持するフィルタの効率の観点で理解されるべきである。
【００３７】
図３Ａ〜図３Ｃに示されているように、フィルタ４２は、多数の抽出濾過材を収容している。種々の実施形態では、抽出濾過材は、接着剤により互いに結合され又は熱により溶接される。種々の実施形態では、抽出濾過材は、互いに成形される。種々の実施形態では、抽出濾過材は、支持部材、例えばフィルタスクリーンによりハウジング構造体内で互いに圧縮される。
【００３８】
例示のフィルタ４２は、第１のフィルタ６０、第２のフィルタ部材６１及び第３のフィルタ部材６３を有し、各フィルタ部材は、固形物を液体試料から濾過により除去するよう構成されている。第２のフィルタ部材の上流側端部は、第１のフィルタ部材の下流側端部に流体結合されている。同様に、第３のフィルタ部材の上流側端部は、第２のフィルタ部材の下流側端部に流体結合されている。
【００３９】
第２のフィルタ部材６１は、第１のフィルタ部材６０の場合よりも比較的小径の固形物を液体試料から濾過により除去するよう構成されている。第３のフィルタ部材６３は、第２のフィルタ部材の場合よりも比較的大きな固形物を液体試料から濾過により除去するよう構成されている。寸法的に、第２のフィルタ部材は、流れ方向又は軸方向に見て第１及び第２のフィルタ部材よりも短い。第１のフィルタ部材の長さは、Ｌ１である。第２のフィルタ部材の長さは、Ｌ２である。第３のフィルタ部材の長さは、Ｌ３である。かくして、例示のフィルタでは、フィルタ部材は、「長‐短‐長」構成のものである。例示の実施形態では、Ｌ２は、０．１ｍｍ、Ｌ１は、３．１８ｍｍ、Ｌ３は、３．１８ｍｍである。
【００４０】
種々の実施形態では、第１及び第３のフィルタ部材は、実質的に同一のポロシティを有し、第２のフィルタ部材は、これよりも小さなポロシティを有する。種々の実施形態では、第１のフィルタ部材６０及び／又は第３のフィルタ部材６３は、粒径が約３０ミクロン〜約２００ミクロンの固形物を濾過により除去するよう構成されている。種々の実施形態では、第２のフィルタ部材６１は、粒径が約０．１ミクロン〜約２ミクロンの固形物を濾過により除去するよう構成されている。種々の実施形態では、第１のフィルタ部材又はメンブレンのポロシティは、第２のフィルタ部材又はメンブレンのポロシティの約１０倍である。種々の実施形態では、第１のフィルタ部材又はメンブレンは、第２のフィルタ部材又はメンブレンの場合よりも約１０倍の大きさの固体粒子を除去するよう構成されている。
【００４１】
例示のフィルタを上流側端部及び下流側端部に関して説明するが、例示のフィルタは、有向性でなくても良く、キャップ内にいずれの方向でも配置できることが理解されよう。「上流側」及び「下流側」という用語は、フィルタをシステム内に設けた後における流体の流れ方向を説明するために便宜的に用いられている。
【００４２】
種々の実施形態では、第１のフィルタ部材６０は、大きな粒子が第２のフィルタ部材に達する前にこれら大きな粒子を除去するために第２のフィルタ部材６１のためのプレ（前置）フィルタとして構成されている。この構成では、目の細かい第２のフィルタは、抽出しなければならない大径粒子の数は少ない。これに対し、第１のフィルタ部材は、大径粒子を抽出するのに有効であり、第２のフィルタ部材は、小径粒子を濾過により除去するのに効率的である。このように、流体は、第１及び第２のフィルタ部材が一般に、これらの有効範囲で粒子を濾過により除去する必要があるのに過ぎないので、迅速にフィルタ４２を通って流れる。
【００４３】
例示のフィルタ４２では、少なくとも第１のフィルタ部材６０及び第２のフィルタ部材６１は、熱溶接又は他の適当な方法により一体構造の状態に形成されている。種々の実施形態では、第１、第２及び第３のフィルタ部材は、一体構造の状態に形成されている。種々の実施形態では、第１、第２及び第３のフィルタ部材は、一体形成される。
【００４４】
フィルタの適当な材料としては、ポリテトラフルオロエチレン（ＰＴＦＥ）、ポリエチレン（ＰＥ）、ポリプロピレン（ＰＰ）、ポリカーボネート（ＰＣＴＥ）、ポリエステル（ＰＥＴＥ）、ナイロン及び他の化学的且つ／或いは生物学的に適合性のある材料が挙げられるが、これらには限定されない。種々の実施形態では、フィルタは、フルオロポリマーで作られる。種々の実施形態では、フィルタは、ポリテトラフルオロエチレン（ＰＴＦＥ）の不活性マトリックス内でシリカから形成される。種々の実施形態では、フィルタは、温度応答性ポリマー（ＴＲＰ）で作られる。種々の実施形態では、フィルタは、濾過プロセスを向上させるようあらかじめ処理される。種々の実施形態では、フィルタは、アルコールであらかじめ処理される。第１、第２及び第３のフィルタ部材は、同種又は異種材料で形成できることは理解されよう。例示の実施形態では、第１のフィルタ部材６０及び第３のフィルタ部材６３は、ポリエチレンから成り、第２のフィルタ部材６１は、ポリプロピレンから成る。フィルタ材料は、１つには用途、例えばサンプルサブジェクト（sample subject）で決まる場合がある。
【００４５】
次に、図１Ａ〜図１Ｃ並びに図４Ａ及び図４Ｂを参照して、バイアル４４を試料採取ステーション５１に選択的に送り出すカルーセル４９について説明する。作動及び使用にあたり、カルーセルは、その周囲に沿ってアレイ状に配置された試料収容バイアルを有し、カルーセルは、回転して選択された試料収容バイアルを試料採取ステーション５１に送り出す。種々の実施形態では、カルーセルは円板の形をしており、その中心軸線を中心として回転可能にシステムに取り付けられている。複数個の試料収容バイアルは、カルーセルの周囲に沿って設けられたバイアルスロット内に位置決めされている。各バイアルスロットは、試料を収容バイアルを受け入れてこれを固定するよう構成されている。
【００４６】
カルーセル４９は、中心軸線に回転可能に取り付けられている。カルーセルは、軸受及びドライブトレーンを介して駆動モータ６５に連結されている。駆動モータは、カルーセルの回転を制御する。
【００４７】
カルーセルの周囲の一部分は、試料採取ステーション５１を通って案内される。試料採取ステーションでは、アーム３９は、ニードル３３に係合し、これをステーション内のバイアルに向かって駆動する。
【００４８】
作動及び使用にあたり、液体試料４６は、バイアル４４内に収容され、キャップ５４は、バイアルを密閉するよう構成されている。キャップは、キャップとバイアルの側壁との間にシールをもたらすよう構成されたスカート６７を有している。フィルタ４２は、一般に、キャップ及び通路を通る試料の蒸発を阻止する。
【００４９】
試料４６は、ニードル３３及びキャップ５４の下向きストロークによりバイアル４４から放出される。キャップは、ニードルの先端部６８がキャップの受け口内に完全に嵌まり込む（図２Ｂに最も良く示されている）まで動き始めない。プランジャが動き始めると、試料の上方に位置するバイアル内に捕捉された空気が最初に放出される。試料の放出がいったん始まると、この放出は、試料の所要量が抜き出されるまで又はバイアルが空になるまで続く。
【００５０】
例示のバイアル４４及びキャップ５４は、ニードルを引っ込めると、キャップがバイアル内の最も低い押し退け位置に位置したままであるよう構成されている。かくして、ニードルは、キャップをバイアル内に押し込むが、キャップなしでバイアルから引き出される。キャップは、試料がキャップの下で加圧された状態でバイアル内に位置したままである。一実施形態では、バイアルは、キャップ５４とぴったりと嵌合するよう構成された底部を有している。ニードル試料採取先端部を引っ込めると、キャップは、締り嵌めによりバイアルの底部内に保持され、ニードルは、キャップから離れる。種々の実施形態では、バイアル及びキャップは、バイアル内の「デッドスペース」を減少させるよう構成されている。例示のバイアルの底部は、キャップが底部に接触したときに流体の実質的に全てがバイアルから押し退けられるようキャップに対応した形状を有している。
【００５１】
上述したように、液体試料４６は、ニードルが下向きの力でバイアル内の流体を押し退けると、ニードル通路内に押し込まれる。キャップは、ニードル先端部６８によりバイアル内に押し下げられ、このニードル先端部は、キャップの上方部分と係合可能であり、軸方向伸長位置と軸方向引っ込み位置との間で動くことができる。ニードル先端部は、流体密シールを形成するよう受け口７０と嵌合するプラグを有する。ニードル先端部は、システムの通路に通じている軸方向に延びる通路を有する。
【００５２】
下向きの軸方向力をキャップ５４及びバイアル４４にプランジャ状作用により提供することにより試料４６が抜き出されるので、カルーセル４９は、試料採取ステーション５１の領域で大きな軸方向荷重を受ける。上述したように、カルーセルの中心軸線は、カルーセルが片持ちされるようハブに回転可能に取り付けられている。
【００５３】
カルーセルに加わる荷重としての力に対抗するため、例示のカルーセルは、ニードルがバイアル内に押し込められると、カルーセルを流体試料送り出し組立体３２に隣接して支持する支持体７２を有する。支持体は、オプションとして、カルーセルの下に位置決めされる。プランジャニードル３３は、カルーセル表面と実質的に直交する方向に荷重をカルーセルに加え、支持体は、実質的に逆方向に向いた状態でカルーセルの下に位置決めされる。
【００５４】
例示の実施形態では、支持体７２は、耐力ころ軸受である。支持体は、上述のことから当業者には理解できるように別の転がり支持体であっても良い。カルーセルハブは、支持体が設けられていない場合、大きなモーメントを受け、この大きなモーメントにより、ハブアクスルが動かなくなる場合がある。支持体は又、片持ちハブの傾動を最小限に抑える。システムがニードル変位深さにより抜き出される試料の量を測定するので、支持体は、ニードルからの圧力に応答したカルーセル及びバイアルの運動によって引き起こされる誤差を最小限に抑える。
【００５５】
図１Ａ〜図１Ｃ及び図４Ａを参照すると、システム３０は、制御システム７４を有し、この制御システムは、コンピュータプロセッサ７５、Ｉ／Ｏボード（図示せず）及びコンピュータ記憶又は格納装置７７を有する。コンピュータプロセスは、システムの作動を制御する。
【００５６】
種々の実施形態では、制御システム７４は、カルーセル４９及び試料採取ステーション５１に結合されている。カルーセル駆動モータは、制御システム７４からの指令に応答して制御装置によって作動される。例示の実施形態では、制御システムは、ニードル組立体及びニードルモータに連結されたセンサ装置からのデータ信号を受け取る。
【００５７】
種々の実施形態では、システム３０は、各バイアルから抜き出される試料の量を制御する計量ステージを有する。液体試料の放出量がニードル３３及びアーム３９の下向き運動に正比例するので、試料の抜き出し量を各下向きストロークで正確に求めることができる。例示のシステムは、ニードルの変位に基づいて試料の抜き出し量を測定する測定装置を有する。測定装置は、制御システムに組み込まれ、ニードルを駆動するモータ３７から信号を受け取る。
【００５８】
格納装置７７は、システム内に装填された試料収容バイアルの各々に関する情報を格納する。システムは、オプションとして、試料収容バイアル又はバイアルスロットに設けられたバーコードを読み取るよう位置決めされたバーコードリーダを有する。バーコード及びリーダは、確認手段として設けられるのが良い。バーコード及びリーダは又、バイアルの自動装填を可能にするよう使用可能である。例えば、バイアルのバーコードは、試料収容バイアル内の試料に関する情報をシステムに提供することができ、その結果、ユーザは、システムの装填時にかかる情報を入力する必要がないようになっている。
【００５９】
次に、図５を参照すると、本発明に従って流体送り出しシステムを用いる方法について説明することができる。作動及び使用にあたり、複数個の試料収容バイアル４４をシステム３０内に装填する。各バイアルは、カルーセル４９に設けられたそれぞれのバイアルスロット４７内に装填される。選択されたバイアルをカルーセルの回転によって試料採取ステーション５１に送り出す。
【００６０】
上述したように、バイアルからの試料の抜き出し量をバイアル内におけるニードルの変位深さにより正確に求めることができる。したがって、試料の抜き出し量を測定する試料送り出し測定手段が設けられている。測定手段は、ニードルモータからの信号を受け取る制御システム７４又はニードル変位を直接測定する他の適当な測定手段を含むのが良い。
【００６１】
システム３０の制御システム７４及び格納装置７７は、各バイアルからの試料抜き出し量に関する情報を格納する。システム３０は、複数個のバイアル４４の各々に関する記録を備えたデータベースを含み、かかる記録としては、例えば試料流体、試料の量、試料の抽出履歴及びタイムスタンプのような情報が挙げられる。かくして、各試料抜き出し事象に関し、システムは、接近が行なわれたバイアル及び試料の抜き出し量に注目する。各事象後、システムは、試料が抜き出された収容バイアルの各々について容量に関する情報を更新する。このように、システムは、任意所与の時間で入手できる試料の量及び種類を追跡する。ユーザ又は自動化プログラムか特定の試料を必要とする場合、システムは、どのバイアルからその種類の十分な量の試料を得ることができるかを判定することができる。
【００６２】
さらに図５を参照すると、試料が必要とされる場合、制御システム７４は、ステップＳ１においてバイアル投入指令を出す。格納装置７７に格納されている情報に基づいて、システムは、適当な試料収容バイアルの存在場所を突き止める。
【００６３】
ステップＳ２において、制御システム７４は、信号をモータ３７に送ってカルーセルが回転するようにし、ついには、選択されたバイアルスロットが試料採取ステーションに位置するようにする。選択されたバイアルスロットが試料採取ステーション５１内に位置合わせされると、ステップＳ３においてバイアル検出信号を出す。選択されたバイアルスロットが空の場合、ステップＳ１０においてエラー信号を出す。エラー信号は、制御システムに送られ、格納システムは、バイアル記録を更新する。
【００６４】
ステップＳ４を参照すると、システム３０は、新たなバイアルが存在しているかどうかを判定する。例示のシステムでは、制御システム７４は、システム内に装填され、最初に検出されたバイアル全てが満杯状態のバイアルであることを確認する。したがって、システムは、ステップＳ８において、満杯状態のバイアルに対応した容量でバイアル記録を更新する。ステップＳ９において、新たなバイアル情報を格納装置７７に格納する。
【００６５】
ステップＳ５において、制御システムは、十分な量の試料が利用可能であるかどうかを判定する。バイアルが新品である場合、システムは、満杯状態のバイアル内で利用できる試料よりも多量の試料が必要であるかどうかを判定する。バイアルが既存のバイアルである場合、システムは、バイアルについての試料の量に関する情報を格納装置７７から取り出す。次に、システムは、要求した試料の量がバイアル内の量を超えているかどうかを判定する。十分な量の試料が利用可能である場合、システムは、ステップＳ６に進む。もしそうでない場合、システムは、ステップＳ１０においてエラー信号を出す。
【００６６】
システムが上述したように十分な量の試料を収容したバイアルをいったん識別して取り出すと、システムは、ステップＳ６において投入を実施する。制御システムは、投入指令をニードルモータ３７に送る。ニードルモータは、ロボットアーム３９を駆動し、ニードル３３をバイアルの方へ往復動させる。
【００６７】
上述した押し退け作用により流体がバイアルから抜き出され、システムは、バイアル内のニードル先端部６８の変位距離に基づいて流体の抜き出し量を記録する。ステップＳ７において、システムは、初期容量及び試料の抜き出し量に基づいてバイアルの新たな容量を記録する。
【００６８】
流体の抜き出し後、制御システムは、ステップ１１において投入完了指令を出す。次に、システムは、新たな投入指令をいつでも受け取る状態にある。
【００６９】
一構成例では、システムにはあらかじめバイアルが装填されており、このシステムは、作動開始前にバイアルの各々に関する情報を集める。この場合、システムは、作動の開始時にバイアルを探す必要がない。
【００７０】
次に、図１Ｃ及び図６を参照して、試料採取ステーション５１、特にニードル３３の作動について説明する。種々の実施形態では、ニードル３３を駆動するモータ３７は、ステップモータである。ステップモータ駆動装置及び中継器は、ステップモータを作動させる。試料をバイアルから抜き出すために、ニードルは、キャップ５４に向かって軸方向に往復動する。ニードル先端部及びキャップは、指定された量の試料をバイアルから押し退ける。
【００７１】
上述したように、システム３０は、各試料収容バイアル４４内にどれほど多くの試料が収容されているか及びどのような種類の試料が収容されているかを追跡することができる。かくして、システムは、バイアル内へのニードル３３の押し込み時にモータ３７がどのように作動すべきかを推定することができる。これら原理に基づいて、例示のシステムは、この推定モータ性能からの偏差に基づいてフィルタ４２内の障害を検出する。
【００７２】
種々の実施形態では、ステップモータ３７は、駆動中におけるモータの負荷（滑り）バイアル内への駆動中におけるプランジャニードルの速度又はこれら両方に関する情報をモニタするモニタシステム又はセンサに取り付けられている。例示のシステム３０は、ステップモータ３７及び制御システム７４に接続された少なくとも１つの光センサ装置７９を有する。センサ装置は、作動中、モータをモニタするよう構成されている。センサ装置は、モータ駆動装置に応答してモータを制御する中継器を有する。光センサ装置は、モータをモニタし、所定のしきい値又は条件が満たされると、エラー信号を発生させる１対の光センサ７９ａを更に有する。例えば、光センサ装置は、モータに加わる負荷が追加の背圧を生じさせるフィルタ中の部分障害に対応した指定値を超えると、エラー信号を発生させるのが良い。
【００７３】
例示の実施形態では、光センサ７９は、センサ７９ａによってモニタされるよう構成されたエンコーダストリップ７９ｂを有する。例示のシステムは、エンコーダストリップは、センサにより光学的に検出されるべき視覚マークのストリップである。しかしながら、理解されるように、本発明に従って他のモニタ技術を採用することができる。ニードルが動くと、センサは、ニードル組立体の運動を追跡するようエンコーダストリップを読み取る。かくして、センサは、ニードルの位置及びニードル運動の速度を求めることができる。モータに送られる制御信号及びセンサからのデータに基づいて、制御システムは、モータの滑りを求めることができる。
【００７４】
図６を参照すると、ステップＳ１′において、制御システム７４は、信号をステップモータ駆動装置に送ってニードルをそれぞれのバイアル４４に向かって往復動させる。ニードル先端部６８は、バイアルのキャップに接触し、キャップを下方に駆動する。ステップＳ２′において、制御システム及びステップモータ駆動装置は、試料を押し退けるための所望のニードル速度を設定する。
【００７５】
ステップＳ３′において、光センサは、モータ３７が滑っているかどうかを検出する。図示の実施形態では、モータは、ステップモータであり、光学装置は、滑りに基づいてモニタに加わる負荷を測定する。滑りは、モータに加わる負荷に対応しており、この負荷は、フィルタ及び試料押し退けプロセスからの背圧に対応している。
【００７６】
通路が無視できるほどの障害を有している場合を意味する通常の作動中、光センサは、モータ滑りが許容範囲内にあることを示す信号を制御システムに送る。例示のシステムは、表示灯８２又は他の適当な手段を備えた光学ストリップ８１を有する。種々の実施形態では、１つの灯は、通常の作動に対応し、別の灯は、以下に説明するように通路の障害に基づいてエラー信号が出されたときに照明される。
【００７７】
ステップＳ４′において、ニードルをバイアル内に押し込み、ついには、指定された量の試料が抜き出されるようにする。しかる後、投入完了信号を発生させる。
【００７８】
ステップＳ３′においてモータ滑りがしきい値を超えている場合、光センサは、通路障害信号を制御システムに送る。モータ滑りが通常の範囲を超えているが、所定の完全障害値を下回っている場合、Ｓ６′において、制御システムは、ニードル速度が最小速度を超えているかどうかを判定する。この速度が最小速度を下回っている場合、通路の完全障害を判定する。かくして、モータ滑りが所定のしきい値を超えていると共にニードル速度が最小速度以下に減少している場合、システムは、通路の関連障害を認定する。この場合、システムは、ステップＳ７′においてエラーメッセージを出す。これに対し、モータ滑りが所定のしきい値を超えると共にニードル速度が最小速度を上回ったままである場合、システムは、通路の部分障害を認定する。部分障害の場合、システムは、ステップＳ５′においてニードル速度を減少させる。システムがモータ駆動信号に応答してニードルの運動を定期的に検出しない場合、例示のシステムは、詰まりが起こったと判定する。
【００７９】
種々の実施形態では、ステップモータ３７は、低トルクモード及び高トルクモードを有する。モータは、フィルタ中の検出された部分障害に基づく制御装置からの信号に応答して低トルクモードから高トルクモードに切り替わる。
【００８０】
用途及び仕様に関する要件に基づいてモータ滑りしきい値及びニードル速度を調節できることは理解されよう。例えば、場合によっては、システムが長時間にわたって動作するようにすることが望ましい場合がある。というのは、フィルタの交換には動作停止時間が必要だからである。場合によっては、フィルタをすぐに交換することが望ましい場合がある。部分障害及び完全障害は、モータ滑り及びニードル速度の組み合わせに基づいて検出されるが、上述のことから理解されるように障害を種々の他の仕方で検出すると共にモニタできることは理解されよう。
【００８１】
システムは、既存のシステムと比べて幾つかの利点を有する。本発明のシステムは、種々の障害を検出すると共に完全障害と部分障害を区別することができる。従来型システムは、設定された間隔でフィルタの交換を必要とするが、本発明のシステムは、実質的に連続した作動を可能にする。例示のシステムは、完全障害が起こった時期を検出することができるので、システムは、作動状態を調節すると共に完全障害で作動を続けることができる。信号灯は、かかる完全障害が起こったとき、ユーザへの視覚表示器としての役目も果たす。
【００８２】
さらに、システム３０は、部分障害に合わせて調節を行なうことができる。上述したように、障害によって引き起こされるモータに加わる背圧を減少させるためにモニタ速度を減少させるのが良い。システムは、完全障害が判定されるまで作動を続行する。
【００８３】
モータ速度を調節することにより、モータ、流体送り出し組立体３２及び他のコンポーネントの摩耗及び裂けも又減少し、かくして、部品の寿命が延びる。
【００８４】
説明の便宜上且つ添付の特許請求の範囲における正確な定義のため、「上」又は「情報」、「下」又は「下方」、「内側」及び「外側」という用語は、例えば図示の特徴の位置に関して本発明の特徴を説明するために用いられている。
【００８５】
例示及び説明の目的で本発明の特定の実施形態の上述の説明を行なった。上述の説明は、網羅的ではなく又は本発明を開示した形態そのものに限定することはなく、上述の教示に照らして多くの改造例及び変形例が可能であることは明らかである。実施形態は、本発明の原理及びその実用的用途を最も良く説明するために選択されると共に説明されており、それにより、他の当業者は、本発明及び種々の実施形態を想定される特定の使用に合った種々の改造を施して最適利用できる。本発明の範囲は、本明細書に添付された特許請求の範囲の記載及びこれらの均等範囲に基づいて定められる。
【図１Ａ】
0005722805.tif 000002
【図１Ｂ】
0005722805.tif 000003
【図１Ｃ】
0005722805.tif 000004
【図２Ａ】
0005722805.tif 000005
【図２Ｂ】
0005722805.tif 000006
【図２Ｃ】
0005722805.tif 000007
【図３Ａ】
0005722805.tif 000008
【図３Ｂ】
0005722805.tif 000009
【図３Ｃ】
0005722805.tif 000010
【図４Ａ】
0005722805.tif 000011
【図４Ｂ】
0005722805.tif 000012
【図５】
0005722805.tif 000013
【図６】
0005722805.tif 000014